(57)【特許請求の範囲】
【請求項１】
複数の絶縁体層が積層された素体と、
前記素体内に前記絶縁体層を介在した状態で配置された第１の内部電極、第２の内部電極、及び第３の内部電極と、
前記素体の外表面に配置され、互いに絶縁された第１の端子電極、第２の端子電極、及び第１の接続導体と、
を備え、
前記第１の内部電極は、第１の主電極と、前記第１の主電極との間に間隙を設けた状態で伸びると共に、前記素体から露出して前記第１の端子電極に接続された第１の引出導体と、前記第１の主電極と前記第１の引出導体とを連結する第１の連結導体と、前記第１の主電極から伸び、前記素体から露出して前記第１の接続導体に接続された第２の引出導体と、を有し、
前記第２の内部電極は、前記複数の絶縁体層の積層方向から見て前記第１の主電極と重なりを有する第２の主電極と、前記第２の主電極との間に間隙を設けた状態で伸びると共に、前記素体から露出して前記第２の端子電極に接続された第３の引出導体と、前記第２の主電極と前記第３の引出導体とを連結する第２の連結導体と、を有し、
前記第３の内部電極は、前記積層方向から見て前記第１及び第２の主電極と重なりを有する第３の主電極と、前記第３の主電極から伸び、前記素体から露出して前記第１の接続導体に接続された第４の引出導体と、を有すると共に前記第１の接続導体にのみ接続され、
前記第１の引出導体が伸びる方向における前記第１の連結導体の長さが当該方向における前記第１の引出導体及び前記第１の主電極の長さよりも短く、前記第３の引出導体が伸びる方向における前記第２の連結導体の長さが当該方向における前記第３の引出導体及び前記第２の主電極の長さよりも短く、
前記第２の内部電極は、前記第１及び第３の内部電極の少なくともいずれか一方と前記絶縁体層を介して隣り合うように積層されていることを特徴とする積層コンデンサ。
【請求項２】
前記第２の内部電極は、前記第１の内部電極と前記絶縁体層を介して隣り合うように積層されていることを特徴とする請求項１記載の積層コンデンサ。
【請求項３】
前記第３の内部電極は、前記第２の内部電極と前記絶縁体層を介して隣り合うように積層されていることを特徴とする請求項２記載の積層コンデンサ。
【請求項４】
前記素体の外表面に配置され、前記第１の端子電極、前記第２の端子電極、及び前記第１の接続導体に対して絶縁された第２の接続導体と、
前記素体内に前記絶縁体層を介在した状態で配置された第４の内部電極と、
を更に備え、
前記第２の内部電極は、前記第２の主電極から伸び、前記素体から露出して前記第２の接続導体に接続された第５の引出導体を更に有し、
前記第４の内部電極は、前記積層方向から見て前記第１〜第３の主電極と重なりを有する第４の主電極と、前記第４の主電極から伸び、前記素体から露出して前記第２の接続導体に接続された第６の引出導体と、を有すると共に前記第２の接続導体にのみ接続されていることを特徴とする請求項１〜３のいずれか一項記載の積層コンデンサ。
【請求項５】
前記第４の内部電極は、前記第１及び第３の内部電極のいずれか少なくとも一方と前記絶縁体層を介して隣り合うように積層されていることを特徴とする請求項４記載の積層コンデンサ。
【請求項６】
前記素体は、前記積層方向に平行な第１の側面を有し、
前記第１の内部電極において、前記第１の連結導体は前記第１の主電極のうち前記第１の側面側に位置する縁部から前記第１の側面に向かって伸び、前記第１の引出導体は前記第１の側面に沿って伸び、
前記第２の内部電極において、前記第２の連結導体は、前記第２の主電極のうち前記第１の側面側に位置する縁部から前記第１の側面に向かって伸び、前記第３の引出導体は前記第１の側面に沿って伸びていることを特徴とする請求項１〜５のいずれか一項記載の積層コンデンサ。
【請求項７】
前記素体は、前記第１の側面と連続し前記積層方向に平行な第２の側面と、前記第１の側面と連続し前記第２の側面と対向する第３の側面とを更に有し、
前記第１の端子電極は前記第１及び第２の側面に連続的に形成され、前記第２の端子電極は前記第１及び第３の側面に連続的に形成され、
前記第１及び第３の引出導体は、前記第１の側面からそれぞれ露出して前記第１及び第２の端子電極にそれぞれ接続され、
前記第１の内部電極は、前記第１の引出導体に接続され且つ前記第２の側面に沿って前記第１の主電極との間に間隙を設けた状態で伸びると共に、前記第２の側面から露出して前記第１の端子電極に接続された第７の引出導体を更に有し、
前記第２の内部電極は、前記第３の引出導体に接続され且つ前記第３の側面に沿って前記第２の主電極との間に間隙を設けた状態で伸びると共に、前記第３の側面から露出して前記第２の端子電極に接続された第８の引出導体を更に有していることを特徴とする請求項６記載の積層コンデンサ。
【発明の詳細な説明】
【技術分野】
【０００１】
本発明は、積層コンデンサに関する。
【背景技術】
【０００２】
従来、積層コンデンサとして、例えば特許文献１記載のものが知られている。特許文献１記載の積層コンデンサは、絶縁体層と複数の第１及び第２の内部電極とが交互に積層された積層体と、積層体の外表面に設けられた第１及び第２の端子電極と、積層体の外表面に設けられた第１及び第２の接続導体とを備えている。積層方向において第１の内部電極は第２の内部電極と重なりを有している。複数の第１の内部電極は第１の接続導体を介して互いに接続されており、複数の第２の内部電極は第２の接続導体を介して互いに接続されている。一部の第１及び第２の内部電極には引き出し導体が一体形成されており、かかる引き出し導体は積層体の側面から露出して第１及び第２の端子電極に接続されている。
【特許文献１】特開２００６−２８６９３０号公報
【発明の開示】
【発明が解決しようとする課題】
【０００３】
ところで、デジタル電子機器に搭載された中央処理装置（ＣＰＵ）において、当該ＣＰＵに電力を供給する電源では、低電圧化が進む一方で負荷電流が増大している。そこで、積層コンデンサをデカップリングコンデンサとして電源に接続し、負荷電流の過渡的な変動時に積層コンデンサからＣＰＵに電流を供給することで、負荷電流の変動に伴う電源電圧の変動を抑えることがある。ＣＰＵの動作周波数が高周波になると、負荷電流が高速且つ大きな値となるため、デカップリングコンデンサとして用いられる積層コンデンサは、大容量であることと、等価直列抵抗（ＥＳＲ）が大きいこととが求められる。
【０００４】
特許文献１記載の積層コンデンサでは、端子電極に直接接続される第１及び第２の内部電極の他に、端子電極には直接接続されないが、第１及び第２の接続導体を介して互いに接続される第１及び第２の内部電極を積層体内に設けている。これにより特許文献１記載の積層コンデンサでは、静電容量およびＥＳＲが大きくなっている。しかしながら、近年、ＣＰＵの動作周波数の高周波化が更に進んでおり、そのためＥＳＲが更に大きい積層コンデンサの開発が望まれている。
【０００５】
そこで、本発明は、静電容量を確保しつつＥＳＲをより大きくすることが可能な積層コンデンサを提供することを課題とする。
【課題を解決するための手段】
【０００６】
本発明の積層コンデンサは、複数の絶縁体層が積層された素体と、素体内に絶縁体層を介在した状態で配置された第１の内部電極、第２の内部電極、及び第３の内部電極と、素体の外表面に配置され、互いに絶縁された第１の端子電極、第２の端子電極、及び第１の接続導体と、を備え、第１の内部電極は、第１の主電極と、第１の主電極との間に間隙を設けた状態で伸びると共に、素体から露出して第１の端子電極に接続された第１の引出導体と、第１の主電極と第１の引出導体とを連結する第１の連結導体と、第１の主電極から伸び、素体から露出して第１の接続導体に接続された第２の引出導体と、を有し、第２の内部電極は、複数の絶縁体層の積層方向から見て第１の主電極と重なりを有する第２の主電極と、第２の主電極との間に間隙を設けた状態で伸びると共に、素体から露出して第２の端子電極に接続された第３の引出導体と、第２の主電極と第３の引出導体とを連結する第２の連結導体と、を有し、第３の内部電極は、積層方向から見て第１及び第２の主電極と重なりを有する第３の主電極と、第３の主電極から伸び、素体から露出して第１の接続導体に接続された第４の引出導体と、を有すると共に第１の接続導体にのみ接続され、第１の引出導体が伸びる方向における第１の連結導体の長さが当該方向における第１の引出導体及び第１の主電極の長さよりも短く、第３の引出導体が伸びる方向における第２の連結導体の長さが当該方向における第３の引出導体及び第２の主電極の長さよりも短く、第２の内部電極は、第１及び第３の内部電極の少なくともいずれか一方と絶縁体層を介して隣り合うように積層されていることを特徴とする。
【０００７】
本発明に係る積層コンデンサでは、第１の内部電極は第１の主電極、第１の引出導体、及び第１の連結導体を有し、第２の内部電極は第２の主電極、第３の引出導体、及び第２の連結導体を有する。第１の連結導体は第１の引出導体と第１の主電極とを接続し、第２の連結導体は第３の引出導体と第２の主電極とを接続する。第１及び第３の引出導体が伸びる方向において、第１及び第２の連結導体は、第１及び第３の引出導体及び第１及び第２の主電極の長さよりも短くなっている。すなわち、第１及び第３の引出導体と第１及び第２の主電極との間は、幅狭となっている。このように本発明に係る積層コンデンサでは、第１及び第２の内部電極の電流経路上において該経路の幅が絞られる箇所を形成することによって、ＥＳＲを大きくしている。
【０００８】
第１の内部電極は、第１の端子電極と第１の接続導体とに接続される。第３の内部電極は、第１の接続導体にのみ接続される。したがって、第３の内部電極は第１の内部電極を介して第１の端子電極に間接的に接続されることとなる。このように本発明に係る積層コンデンサでは、端子電極に直接的に接続されない内部電極を設けることで、ＥＳＲをより大きくしている。
【０００９】
第１〜第３の主電極は互いに重なりを有している。また第２の内部電極は、第１及び第３の内部電極の少なくともいずれか一方と絶縁体層を介して隣り合うように積層されている。そのため、第２の主電極は、第１及び第３の主電極の少なくともいずれか一方と協働して静電容量成分を形成することになる。よって本発明に係る積層コンデンサでは、静電容量を確保することができる。
【００１０】
好ましくは、第２の内部電極は第１の内部電極と絶縁体層を介して隣り合うように積層されている。
【００１１】
この場合、第１の内部電極の連結導体と第２の内部電極の連結導体との間の距離を短くすることができる。かかる距離を短くし、連結導体に流れる電流の方向を互いに逆向きとすることにより、電流に起因して発生する磁界を一部相殺することができる。その結果、積層コンデンサの等価直列インダクタンス（ＥＳＬ）を低くすることが可能となる。
【００１２】
好ましくは、第３の内部電極は第２の内部電極と絶縁体層を介して隣り合うように積層されている。
【００１３】
この場合、第２の主電極は、第１の主電極と協働して静電容量成分を形成し、更に第３の主電極とも協働して静電容量成分を形成することになる。よって、静電容量を充分に確保することができる。
【００１４】
好ましくは、素体の外表面に配置され、第１の端子電極、第２の端子電極、及び第１の接続導体に対して絶縁された第２の接続導体と、素体内に絶縁体層を介在した状態で配置された第４の内部電極と、を更に備え、第２の内部電極は、第２の主電極から伸び、素体から露出して第２の接続導体に接続された第５の引出導体を更に有し、第４の内部電極は、積層方向から見て第１〜第３の主電極と重なりを有する第４の主電極と、第４の主電極から伸び、素体から露出して第２の接続導体に接続された第６の引出導体と、を有すると共に第２の接続導体にのみ接続されている。
【００１５】
この場合、第４の内部電極は、第２の接続導体にのみ接続される。第２の接続導体にのみ接続される第４の内部電極は、第２の接続導体及び第２の内部電極を介して、第２の端子電極に間接的に接続されることとなる。このように、第２の端子電極に直接的に接続されない内部電極を更に備えることにより、ＥＳＲをいっそう大きくすることができる。
【００１６】
好ましくは、第４の内部電極は、第１及び第３の内部電極のいずれか少なくとも一方と絶縁体層を介して隣り合うように積層されている。
【００１７】
この場合、第４の主電極は、第１及び第３の主電極の少なくともいずれか一方と協働して静電容量成分を形成することになる。よって本発明に係る積層コンデンサでは、静電容量をより充分に確保することができる。
【００１８】
好ましくは、素体は、積層方向に平行な第１の側面を有し、第１の内部電極において、第１の連結導体は第１の主電極のうち第１の側面側に位置する縁部から第１の側面に向かって伸び、第１の引出導体は第１の側面に沿って伸び、第２の内部電極において、第２の連結導体は、第２の主電極のうち第１の側面側に位置する縁部から第１の側面に向かって伸び、第３の引出導体は第１の側面に沿って伸びている。
【００１９】
この場合、第１及び第２の連結導体は共に、第１及び第２の主電極から見て第１の側面側に位置し、且つ第１の側面に向かって伸びている。また、第１及び第２の連結導体は、互いに極性が異なる第１及び第２の端子電極に引出導体を介してそれぞれ接続される。同一の方向に伸びて近くに位置し、更に極性が異なる第１及び第２の連結導体には、積層コンデンサに電圧を印加した際、互いに逆向きの電流が流れることとなる。したがって、電流に起因して発生する磁界を一部相殺することができる。よって積層コンデンサにおけるＥＳＬの低下をより確実に実現できる。
【００２０】
好ましくは、素体は、第１の側面と連続し積層方向に平行な第２の側面と、第１の側面と連続し第２の側面と対向する第３の側面とを更に有し、第１の端子電極は第１及び第２の側面に連続的に形成され、第２の端子電極は第１及び第３の側面に連続的に形成され、第１及び第３の引出導体は、第１の側面からそれぞれ露出して第１及び第２の端子電極にそれぞれ接続され、第１の内部電極は、第１の引出導体に接続され且つ第２の側面に沿って第１の主電極との間に間隙を設けた状態で伸びると共に、第２の側面から露出して第１の端子電極に接続された第７の引出導体を更に有し、第２の内部電極は、第３の引出導体に接続され且つ第３の側面に沿って第２の主電極との間に間隙を設けた状態で伸びると共に、第３の側面から露出して第２の端子電極に接続された第８の引出導体を更に有している。
【００２１】
この場合、第１の内部電極が有する第１及び第７の引出導体が第１の端子電極と接続され、第２の内部電極が有する第３及び第８の引出導体がと第２の端子電極と接続される。よって、第１及び第２の内部電極と第１及び第２の端子電極との接触面積が増えるため、第１及び第２の内部電極と第１及び第２の端子電極との接合性を高めることができる。
【発明の効果】
【００２２】
本発明によれば、静電容量を確保しつつＥＳＲをより大きくすることが可能な積層コンデンサを提供することができる。
【発明を実施するための最良の形態】
【００２３】
以下、添付図面を参照して、本発明の好適な実施形態について詳細に説明する。説明において、同一要素又は同一機能を有する要素には、同一符号を用いることとし、重複する説明は省略する。
（第１実施形態）
【００２４】
図１は、第１実施形態に係る積層コンデンサの斜視図である。図２は、第１実施形態に係る積層コンデンサが備える素体の分解斜視図である。図３及び図４は、第１実施形態に係る積層コンデンサが備える各内部電極の構成を示す図である。
【００２５】
積層コンデンサＣ１は、図１に示されるように、直方体状をした素体Ｅ１と、素体Ｅ１の外表面に配置された第１及び第２の端子電極１０，１２と、第１及び第２の接続導体１４，１６とを備えている。
【００２６】
直方体状の素体Ｅ１は、側面１〜６を有している。側面（第１の側面）１は側面（第４の側面）４と対向し、側面（第２の側面）２は側面（第３の側面）３と対向し、側面５は側面６と対向している。側面５，６は長方形状を呈しており、側面１，４は、側面５，６を連結するように側面５，６の長辺方向に沿って伸びている。側面２，３は、側面５，６を連結するように側面５，６の短辺方向に沿って伸びている。本実施形態に係る積層コンデンサＣ１は、側面１が実装基板と対向するように実装基板に配置される。
【００２７】
第１の端子電極１０、第２の端子電極１２、第１の接続導体１４、及び第２の接続導体１６は、互いに絶縁されている。第１の端子電極１０は、側面２全体を覆い、側面１，４それぞれにおける側面２側の端部を覆うように配置されている。第２の端子電極１２は、側面３全体を覆い、側面１，４それぞれにおける側面３側の端部を覆うように配置されている。第１の接続導体１４は、側面４において第１及び第２の端子電極１０，１２の間に配置され、側面５，６が対向する方向に伸びている。第２の接続導体１６は、側面１において第１及び第２の端子電極１０，１２の間に配置され、側面５，６が対向する方向に伸びている。
【００２８】
第１の端子電極１０、第２の端子電極１２、第１の接続導体１４、及び第２の接続導体１６は、例えば、導電性金属粉末及びガラスフリットを含む導電性ペーストを素体Ｅ１の対応する外表面に付与し、焼き付けることによって形成される。なお必要に応じて、焼き付けられた電極の上にめっき層が形成されることもある。
【００２９】
素体Ｅ１は、図２に示されるように、長方形状を呈した複数（本実施形態では７層）の絶縁体層１８が積層されたものである。先述した側面１〜４は絶縁体層１８の積層方向に沿った面であり、側面５，６は絶縁体層１８の積層方向に対向した面である。各絶縁体層１８は、例えば誘電体セラミックを含むセラミックグリーンシートの焼結体から構成される。実際の積層コンデンサＣ１では、各絶縁体層１８は、絶縁体層１８の間の境界が視認できない程度に一体化されている。
【００３０】
積層コンデンサＣ１は、図２に示されるように、１層の第１の内部電極２１と、１層の第２の内部電極３１と、複数（本実施形態では２層）の第３の内部電極４１と、複数（本実施形態では２層）の第４の内部電極４５とを素体Ｅ１内に備えている。本実施形態に係る積層コンデンサＣ１では、第１〜第４の内部電極２１，３１，４１，４５は、第１の内部電極２１、第２の内部電極３１、第３の内部電極４１、第４の内部電極４５、第３の内部電極４１、第４の内部電極４５、の順で、間に絶縁体層１８を挟んだ状態で積層されている。これらの内部電極は、導電性ペーストの焼結体から構成される。
【００３１】
第１の内部電極２１は、絶縁体層１８を間に挟んだ状態で第２の内部電極３１と隣り合っている。図３（ａ）に示されるように、第１の内部電極２１は、主電極（第１の主電極）２２と、連結導体２３，２４と、引出導体２５〜２８とを有している。
【００３２】
主電極２２は、長方形状を呈しており、側面５，６の長辺方向を長辺方向としている。主電極２２は、長辺方向に伸びる一対の縁部２９ａ，２９ｂを有している。縁部２９ａは側面１側に位置し、縁部２９ｂは側面４側に位置している。
【００３３】
主電極２２は、容量形成領域を含んでいる。容量形成領域は、絶縁体層１８の積層方向からみたときに、後述する第２の内部電極３１の主電極３２と重なり合う領域である。本実施形態では、主電極２２と主電極３２とは全体的に重なり合っている。そのため、主電極２２全体が容量形成領域であるといえる。第１の内部電極２１の容量形成領域すなわち主電極２２は、端部２２ａ，２２ｂと中間部２２ｃとからなっている。端部２２ａは素体Ｅ１の側面２側に位置しており、端部２２ｂは素体Ｅ１の側面３側に位置している。中間部２２ｃは、端部２２ａと端部２２ｂとの間に位置している。
【００３４】
連結導体（第１の連結導体）２３は、主電極２２に接続されており、主電極２２からみて側面１側に位置している。連結導体２３は、主電極２２の縁部２９ａから素体Ｅ１の側面１に向かって伸びている。連結導体２３は、主電極２２の中間部２２ｃのうち素体Ｅ１の側面２寄りの部分に接続されている。
【００３５】
引出導体（第１の引出導体）２６は、一端部が連結導体２３に接続され、主電極２２との間に間隙を設けた状態で、素体Ｅ１の側面１に沿い側面２に向かって伸びている。引出導体２６のうち、側面１側の縁部は、側面１から露出して第１の端子電極１０に電気的且つ物理的に接続されている。引出導体２６が伸びる方向において、連結導体２３の長さＬ１は、引出導体２６及び主電極２２の長さＬ２，Ｌ３よりも短くなっている。
【００３６】
連結導体２４は、主電極２２に接続されており、主電極２２からみて側面４側に位置している。連結導体２４は、主電極２２の縁部２９ｂから素体Ｅ１の側面４に向かって伸びている。連結導体２４は、側面１，４の対向方向から見たときに、主電極２２の中間部２２ｃのうち素体Ｅ１の側面２寄りの部分に接続されている。
【００３７】
引出導体２７は、一端部が連結導体２４に接続され、主電極２２との間に間隙を設けた状態で、素体Ｅ１の側面４に沿い側面２に向かって伸びている。引出導体２７のうち、側面４側の縁部は、側面４から露出して第１の端子電極１０に電気的且つ物理的に接続されている。引出導体２７が伸びる方向において、連結導体２４の長さは、引出導体２７及び主電極２２の長さよりも短くなっている。
【００３８】
引出導体（第７の引出導体）２５は、引出導体２６，２７に連結されている。より具体的には、引出導体２５の一端部は引出導体２６に接続され、引出導体２５の他端部は引出導体２７に接続されている。引出導体２５は、主電極２２との間に間隙を設けた状態で、素体Ｅ１の側面２に沿って伸びている。引出導体２５のうち側面２側の縁部は、側面２から露出して第１の端子電極１０に電気的且つ物理的に接続されている。
【００３９】
引出導体（第２の引出導体）２８は、主電極２２からみて側面４側に位置している。引出導体２８の一端部は主電極２２に接続され、引出導体２８の他端部は側面４から露出して第１の接続導体１４に電気的且つ物理的に接続されている。引出導体２８は、主電極２２の縁部２９ｂから素体Ｅ１の側面４に向かって伸びている。引出導体２８は、側面１，４の対向方向から見たときに、連結導体２３と連結導体３３との間との間に位置している。また引出導体２８は、側面１，４の対向方向から見たときに、連結導体２４と連結導体３４との間に位置している。
【００４０】
第２の内部電極３１は、図３（ｂ）に示されるように、主電極（第２の主電極）３２と、連結導体３３，３４と、引出導体３５〜３８とを有している。
【００４１】
主電極３２は、長方形状を呈しており、側面５，６の長辺方向を長辺方向としている。主電極３２は、長辺方向に伸びる一対の縁部３９ａ，３９ｂを有している。縁部３９ａは側面１側に位置し、縁部３９ｂは側面４側に位置している。
【００４２】
主電極３２は、容量形成領域を含んでいる。容量形成領域は、絶縁体層１８の積層方向からみたときに、第１の内部電極２１の主電極２２と重なり合う領域である。本実施形態では、主電極２２と主電極３２とは全体的に重なり合っている。そのため、主電極３２全体が容量形成領域であるといえる。第２の内部電極３１の容量形成領域すなわち主電極３２は、端部３２ａ，３２ｂと中間部３２ｃとからなっている。端部３２ａは、素体Ｅ１の側面２側に位置しており、端部３２ｂは、素体Ｅ１の側面３側に位置している。中間部３２ｃは、端部３２ａと端部３２ｂとの間に位置している。
【００４３】
連結導体（第２の連結導体）３３は、主電極３２に接続されており、主電極３２からみて側面１側に位置している。連結導体３３は、主電極３２の縁部３９ａから素体Ｅ１の側面１に向かって伸びている。連結導体３３は、側面１，４の対向方向から見たときに、主電極３２の中間部３２ｃのうち素体Ｅ１の側面３寄りの部分に接続されている。
【００４４】
引出導体（第３の引出導体）３６は、一端部が連結導体３３に接続され、主電極３２との間に間隙を設けた状態で、素体Ｅ１の側面１に沿い側面３に向かって伸びている。また引出導体３６のうち、側面１側の縁部は、側面１から露出して第２の端子電極１２に電気的且つ物理的に接続されている。引出導体３６が伸びる方向において、連結導体３３の長さＬ１１は、引出導体３６及び主電極３２の長さＬ１２，Ｌ１３よりも短くなっている。
【００４５】
連結導体３４は、主電極３２に接続されており、主電極３２からみて側面４側に位置している。連結導体３４は、主電極３２の縁部３９ｂから素体Ｅ１の側面４に向かって伸びている。連結導体３４は、側面１，４の対向方向から見たときに、主電極３２の中間部３２ｃのうち素体Ｅ１の側面３寄りの部分に接続されている。
【００４６】
引出導体３７は、一端部が連結導体３４に接続され、主電極３２との間に間隙を設けた状態で、素体Ｅ１の側面４に沿い側面３に向かって伸びている。また引出導体３７のうち、側面４側の縁部は、側面４から露出して第２の端子電極１２に電気的且つ物理的に接続されている。引出導体３７が伸びる方向において、連結導体３４の長さは、引出導体３７及び主電極３２の長さよりも短くなっている。
【００４７】
引出導体（第８の引出導体）３５は、引出導体３６及び引出導体３７に連結されている。より具体的には、引出導体３５の一端部は引出導体３６に接続され、引出導体３５の他端部は引出導体３７に接続されている。引出導体３５は、主電極３２との間に間隙を設けた状態で、素体Ｅ１の側面３に沿って伸びている。引出導体３５のうち側面３側の縁部は、側面３から露出して第２の端子電極１２に電気的且つ物理的に接続されている。
【００４８】
引出導体（第５の引出導体）３８は、主電極３２からみて側面１側に位置している。引出導体３８の一端部は主電極３２に接続され、引出導体３８の他端部は側面１から露出して第２の接続導体１６に電気的且つ物理的に接続されている。引出導体３８は、主電極３２の縁部３９ａから素体Ｅ１の側面１に向かって伸びている。引出導体３８は、側面１，４の対向方向から見たときに、連結導体２３と連結導体３３との間との間に位置している。また引出導体３８は、側面１，４の対向方向から見たときに、連結導体２４と連結導体３４との間に位置している。
【００４９】
第３の内部電極４１は、図４（ａ）に示されるように、主電極（第３の主電極）４２と、引出導体（第４の引出導体）４３とを有している。
【００５０】
主電極４２は、長方形状を呈しており、側面５，６の長辺方向を長辺方向としている。主電極４２は、長辺方向に伸びる一対の縁部４４ａ，４４ｂを有している。縁部４４ａは側面１側に位置し、縁部４４ｂは側面４側に位置している。
【００５１】
主電極４２は、容量形成領域を含んでいる。容量形成領域は、絶縁体層１８の積層方向からみたときに、第１の内部電極２１の主電極２２、第２の内部電極３１の主電極３２、及び後述する第４の内部電極４５の主電極４６と重なり合う領域である。本実施形態では、主電極４２は、主電極２２，３２，４６と全体的に重なり合っている。そのため、主電極４２全体が容量形成領域であるといえる。第３の内部電極４１の容量形成領域すなわち主電極４２は、端部４２ａ，４２ｂと中間部４２ｃとからなっている。端部４２ａは、素体Ｅ１の側面２側に位置しており、端部４２ｂは、素体Ｅ１の側面３側に位置している。中間部４２ｃは、端部４２ａと端部４２ｂとの間に位置している。
【００５２】
引出導体４３は、主電極４２からみて側面４側に位置している。引出導体４３の一端部は主電極４２に接続され、引出導体４３の他端部は側面４から露出して第１の接続導体１４に電気的且つ物理的に接続されている。引出導体４３は、主電極４２の縁部４４ｂから素体Ｅ１の側面４に向かって伸びている。引出導体４３は、側面１，４の対向方向から見たときに、連結導体２３と連結導体３３との間に位置している。また引出導体４３は、側面１，４の対向方向から見たときに、連結導体２４と連結導体３４との間に位置している。
【００５３】
第４の内部電極４５は、図４（ｂ）に示されるように、主電極（第４の主電極）４６と、引出導体（第６の引出導体）４７とを有している。
【００５４】
主電極４６は、長方形状を呈しており、側面５，６の長辺方向を長辺方向としている。主電極４６は、長辺方向に伸びる一対の縁部４８ａ，４８ｂを有している。縁部４８ａは側面１側に位置し、縁部４８ｂは側面４側に位置している。
【００５５】
主電極４６は、容量形成領域を含んでいる。容量形成領域は、絶縁体層１８の積層方向からみたときに、第１の内部電極２１の主電極２２、第２の内部電極３１の主電極３２、及び第３の内部電極４１の主電極４２と重なり合う領域である。本実施形態では、主電極４６は、主電極２２，３２，４２と全体的に重なり合っている。そのため、主電極４６全体が容量形成領域であるといえる。第３の内部電極４５の容量形成領域すなわち主電極４６は、端部４６ａ，４６ｂと中間部４６ｃとからなっている。端部４６ａは、素体Ｅ１の側面２側に位置しており、端部４６ｂは、素体Ｅ１の側面３側に位置している。中間部４６ｃは、端部４６ａと端部４６ｂとの間に位置している。
【００５６】
引出導体４７は、主電極４６からみて側面１側に位置している。引出導体４７の一端部は主電極４６に接続され、引出導体４７の他端部は側面１から露出して第２の接続導体１６に電気的且つ物理的に接続されている。引出導体４７は、主電極４６の縁部４８ａから素体Ｅ１の側面１に向かって伸びている。引出導体４７は、側面１，４の対向方向から見たときに、連結導体２３と連結導体３３との間に位置している。また引出導体４７は、側面１，４の対向方向から見たときに、連結導体２４と連結導体３４との間に位置している。
【００５７】
以上の構成を有する第１実施形態に係る積層コンデンサＣ１によれば、第１の内部電極２１において引出導体２６と主電極２２とは連結導体２３によって接続され、第２の内部電極３１において引出導体３６と主電極３２とは連結導体３３によって接続される。引出導体２６が伸びる方向において、連結導体２３は、引出導体２６及び主電極２２の長さよりも短くなっている。引出導体３６が伸びる方向において、連結導体３３は、引出導体３６及び主電極３２の長さよりも短くなっている。すなわち、引出導体２６，３６と主電極２２，３２との間は、幅狭となっている。したがって積層コンデンサＣ１では、第１及び第２の内部電極２１，３１の電流経路上において該経路の幅が絞られる箇所が形成されることとなるため、ＥＳＲを大きくすることができる。
【００５８】
第１の内部電極２１は、第１の端子電極１０と第１の接続導体１４とに接続される。第３の内部電極４１は、第１の端子電極１０には接続されず、第１の接続導体１４にのみ接続される。したがって、第３の内部電極４１は第１の内部電極２１を介して第１の端子電極１０に間接的に接続されることとなる。したがって積層コンデンサＣ１では、第１の端子電極１０に直接的に接続されない内部電極を有することとなるため、ＥＳＲをより大きくすることができる。
【００５９】
主電極２２，３２は、積層方向から見て互いに重なりを有しており、絶縁体層１８を間に挟んだ状態で隣り合っている。主電極２２，３２は、異なる端子電極に接続されるため、電圧印加時において静電容量成分を形成することになる。よって積層コンデンサＣ１では、静電容量を確保することができる。
【００６０】
主電極４２，３２は、積層方向から見て互いに重なりを有しており、絶縁体層１８を間に挟んだ状態で隣り合っている。主電極４２，３２は、異なる端子電極に接続されるため、電圧印加時において静電容量成分を形成することになる。よって積層コンデンサＣ１では、静電容量を充分に確保することができる。
【００６１】
主電極４６，４２は、互いに重なりを有しており、絶縁体層１８を間に挟んだ状態で隣り合っている。主電極４６，４２は、異なる端子電極に接続されるため、電圧印加時において静電容量成分を形成することになる。よって積層コンデンサＣ１では、静電容量をより充分に確保することができる。
【００６２】
積層コンデンサＣ１は、第２の接続導体１６にのみ接続される第４の内部電極４５を備えている。第４の内部電極４５は、第２の接続導体１６及び第２の内部電極３１を介して、第２の端子電極１２に間接的に接続されることとなる。このように、第２の端子電極１２に直接的に接続されない内部電極を備えることにより、ＥＳＲをいっそう大きくすることができる。
【００６３】
第１の内部電極２１において、連結導体２３は主電極２２の縁部２９ａに接続され、素体Ｅ１の側面１に向かって伸びている。第２の内部電極３１において、連結導体３３は主電極３２の縁部３９ａに接続され、素体Ｅ１の側面１に向かって伸びている。したがって連結導体２３，３３は、積層方向から見ると互いに略平行な状態となっている。また、連結導体２３は第１の端子電極１０に接続され、連結導体３３は第１の端子電極１０とは極性が異なる第２の端子電極１２に接続されている。そのため連結導体２３，３３には、積層コンデンサＣ１に電圧を印加した際、互いに逆向きの電流が流れることとなる。更に、第１の内部電極２１と第２の内部電極３１とは絶縁体層１８を介して隣り合うように積層されているので、連結導体２３と連結導体３３との間の距離が短くなっている。このように連結導体２３と連結導体３３との間の距離を短くし、且つ連結導体２３，３３に流れる電流の方向を互いに逆向きとすることにより、電流に起因して発生する磁界を一部相殺することができる。よって積層コンデンサＣ１では、ＥＳＬを低くすることも可能となる。図３中の矢印は、第１の端子電極１０を陰極とし第２の端子電極１２を陽極とした場合における電流の向きを示している。
【００６４】
第１の端子電極１０は、素体Ｅ１の側面１，２に形成されている。第２の端子電極１２は、素体Ｅ１の側面１，３に形成されている。第１の内部電極２１は、素体Ｅ１の側面２から露出した引出導体２５を有している。第２の内部電極３１は、素体Ｅ１の側面３から露出した引出導体３５を有している。これにより、第１及び第２の内部電極２１，３１と第１及び第２の端子電極１０，１２との接触面積が増えるため、第１及び第２の内部電極２１，３１と第１及び第２の端子電極１０，１２との接合性を高めることができる。
【００６５】
積層コンデンサＣ１を側面１が実装基板と対向するように実装基板上に配置した場合には、引出導体２６及び連結導体２３を介して主電極２２に至る電流経路のほかに、引出導体２５，２７及び連結導体２４を介して主電極２２に至る、比較的長い電流経路が形成される。比較的長い電流経路が形成されることにより、ＥＳＲを更に大きくすることができる。また、積層コンデンサＣ１を側面１が実装基板と対向するように実装基板上に配置した場合には、例えば側面５が実装基板と対向するように実装基板上に配置した場合と比べて、ＥＳＬを低く抑えることができる。
【００６６】
積層コンデンサＣ１では、引出導体２８，４３は側面４側に位置する主電極２２，４２の縁部２９ｂ，４４ｂから側面４に向かって伸び、引出導体３８，４７は側面１側に位置する主電極３２，４６の縁部３９ａ，４８ａから側面１に向かって伸びている。したがって、引出導体２８，４３，３８，４７を同一の側面にではなく２つの側面に振り分けて露出させることとなるため、積層方向から見たときの連結導体２３と連結導体３３との間、及び連結導体２４と連結導体３４との間の距離を短くすることができる。連結導体２３と連結導体３３とでは電流が互いに逆向きに流れ、連結導体２４と連結導体３４とでは電流が互いに逆向きに流れるため、連結導体２３と連結導体３３との間、及び連結導体２４と連結導体３４との間において、電流に起因して発生する磁界が相殺される。よって、ＥＳＬを低くすることができる。
【００６７】
積層コンデンサＣ１では、引出導体２６及び連結導体２３を経て主電極２２に流れ込む電流経路のほかに、引出導体２７及び連結導体２４を経て主電極２２に流れ込む電流経路が形成されている。このように電流経路を複数形成することにより、更にＥＳＬを低くすることができる。
【００６８】
図３，４中の矢印は、第１の端子電極１０を陰極とし第２の端子電極１２を陽極とした場合における電流の向きを示している。積層コンデンサＣ１では、第１の内部電極２１の主電極２２における端部２２ａ，２２ｂと、第２の内部電極３１の主電極３２における端部３２ａ，３２ｂとでは、流れる電流の向きが互いに逆となる。よって、第１の内部電極２１と第２の内部電極３１とにおいて、電流に起因して発生する磁界が一部相殺される。第３の内部電極４１の主電極４２における端部４２ａ，４２ｂと、第４の内部電極４５の主電極４６における端部４６ａ，４６とでは、流れる電流の向きが互いに逆となる。よって、第３の内部電極４１と第４の内部電極４５とにおいて、電流に起因して発生する磁界が一部相殺される。このように、互いに隣り合う内部電極同士で磁界の相殺を発生させることにより、ＥＳＬをいっそう低くすることができる。
【００６９】
続いて、図５に基づいて、第１実施形態の変形例について説明する。図５は、第１実施形態の変形例に係る積層コンデンサが備える各内部電極の構成を示す図である。
【００７０】
本変形例に係る積層コンデンサは、その図示を省略するが、第１実施形態に係る積層コンデンサＣ１と同じく、素体Ｅ１と、第１〜第４の内部電極２１，３１，４１，４５と、第１及び第２の端子電極１０，１２と、第１及び第２の接続導体１４，１６とを備えている。図５に示されるように、本変形例に係る積層コンデンサでは、第１及び第２の内部電極２１，３１の形状が第１実施形態と異なっている。
【００７１】
本変形例の第１の内部電極２１は、第１実施形態の第１の内部電極２１が有する主電極２２、連結導体２３，２４、及び引出導体２５〜２８のほかに、連結導体５１を有している。連結導体５１は、主電極２２に接続されており、主電極２２からみて素体Ｅ１の側面２側に位置している。連結導体５１の一端部は、側面２側に位置する主電極２２の縁部２９ｃに接続され、連結導体５１の他端部は、引出導体２５に接続されている。
【００７２】
本変形例の第２の内部電極３１は、第１実施形態の第２の内部電極３１が有する主電極３２、連結導体３３，３４、及び引出導体３５〜３８のほかに、連結導体５２を有している。連結導体５２は、主電極３２に接続されており、主電極３２からみて素体Ｅ１の側面３側に位置している。連結導体５２の一端部は、側面３側に位置する主電極３２の縁部３９ｃに接続され、連結導体５２の他端部は、引出導体３５に接続されている。
【００７３】
このような積層コンデンサでも、第１及び第２の内部電極２１，３１の電流経路上において該経路の幅が絞られる箇所が形成され、更に第１及び第２の端子電極１０，１２に直接的に接続されない第３及び第４の内部電極４１，４５を有するため、ＥＳＲを大きくすることができる。
【００７４】
図６に基づいて、第１実施形態の他の変形例について説明する。図６は、第１実施形態の他の変形例に係る積層コンデンサが備える各内部電極の構成を示す図である。
【００７５】
本変形例に係る積層コンデンサは、その図示を省略するが、第１実施形態に係る積層コンデンサＣ１と同じく、素体Ｅ１と、第１〜第４の内部電極２１，３１，４１，４５と、第１及び第２の端子電極１０，１２と、第１及び第２の接続導体１４，１６とを備えている。図６に示されるように、本変形例に係る積層コンデンサでは、第１及び第２の内部電極２１，３１の形状が第１実施形態と異なっている。
【００７６】
本変形例の第１の内部電極２１は、第１実施形態の第１の内部電極２１が有する主電極２２、連結導体２３，２４、及び引出導体２６〜２８を有している。本変形例の第１の内部電極２１は、第１実施形態の第１の内部電極２１が有する引出導体２５の代わりに、２つの引出導体５３，５４を有している。引出導体５３，５４は、主電極２２との間に間隙を設けた状態で、素体Ｅ１の側面２に沿ってそれぞれ伸びている。引出導体５３の一端部は引出導体２６に接続され、引出導体５４の一端部は引出導体２７に接続されている。引出導体５３の他端部と引出導体５４の他端部との間には、間隙が設けられている。引出導体５３，５４それぞれにおける側面２側の縁部は、側面２から露出して第１の端子電極１０に電気的且つ物理的に接続されている。
【００７７】
本変形例の第２の内部電極３１は、第１実施形態の第２の内部電極３１が有する主電極３２、連結導体３３，３４、及び引出導体３６〜３８を有している。本変形例の第２の内部電極３１は、第１実施形態の第２の内部電極３１が有する引出導体３５の代わりに、２つの引出導体５５，５６を有している。引出導体５５，５６は、主電極３２との間に間隙を設けた状態で、素体Ｅ１の側面３に沿ってそれぞれ伸びている。引出導体５５の一端部は引出導体３６に接続され、引出導体５６の一端部は引出導体３７に接続されている。引出導体５５の他端部と引出導体５６の他端部との間には、間隙が設けられている。引出導体５５，５６それぞれにおける側面３側の縁部は、側面３から露出して第２の端子電極１２に電気的且つ物理的に接続されている。
【００７８】
本変形例に係る積層コンデンサでは、引出導体５４，５６は引出導体５３，５５と非接続となっているが、積層コンデンサＣ１を側面１が実装基板と対向するように実装基板上に配置した場合には、第１及び第２の端子電極１０，１２を介して引出導体５４，５６にも電流が流れることとなる。このような積層コンデンサでも、第１及び第２の内部電極２１，３１の電流経路上において該経路の幅が絞られる箇所が形成され、更に第１及び第２の端子電極１０，１２に直接的に接続されない第３及び第４の内部電極４１，４５を有するため、ＥＳＲを大きくすることができる。
【００７９】
図７に基づいて、第１実施形態の変形例について説明する。図７は、第１実施形態の変形例に係る積層コンデンサが備える各内部電極の構成を示す図である。
【００８０】
本変形例に係る積層コンデンサは、その図示を省略するが、第１実施形態に係る積層コンデンサＣ１と同じく、素体Ｅ１と、第１〜第４の内部電極２１，３１，４１，４５と、第１及び第２の端子電極１０，１２と、第１及び第２の接続導体１４，１６とを備えている。図７に示されるように、本変形例に係る積層コンデンサでは、第１及び第２の内部電極２１，３１の形状が第１実施形態と異なっている。
【００８１】
本変形例の第１の内部電極２１は、第１実施形態の第１の内部電極２１が有する主電極２２、連結導体２３，２４、及び引出導体２６〜２８を有している。本変形例の第１の内部電極２１は、第１実施形態の第１の内部電極２１が有する引出導体２５の代わりに、引出導体５７を有している。引出導体５７は、主電極２２との間に間隙を設けた状態で、素体Ｅ１の側面２に沿って伸びている。引出導体５７の一端部は引出導体２６に接続され、引出導体５７の他端部は引出導体２７に接続されている。引出導体５７は、一端と他端との間に側面２に向かう凸部５７ａを有しており、この凸部５７ａの端面のみが側面２から露出している。
【００８２】
本変形例の第２の内部電極３１は、第１実施形態の第２の内部電極３１が有する主電極３２、連結導体３３，３４、及び引出導体３６〜３８を有している。本変形例の第２の内部電極３１は、第１実施形態の第２の内部電極３１が有する引出導体３５の代わりに、引出導体５８を有している。引出導体５８は、主電極３２との間に間隙を設けた状態で、素体Ｅ１の側面３に沿って伸びている。引出導体５８の一端部は引出導体３６に接続され、引出導体５８の他端部は引出導体３７に接続されている。引出導体５８は、一端と他端との間に側面３に向かう凸部５８ａを有しており、この凸部５８ａの端面のみが側面３から露出している。
【００８３】
このような積層コンデンサでも、第１及び第２の内部電極２１，３１の電流経路上において該経路の幅が絞られる箇所が形成され、更に第１及び第２の端子電極１０，１２に直接的に接続されない第３及び第４の内部電極４１，４５を有するため、ＥＳＲを大きくすることができる。
【００８４】
図８に基づいて、第１実施形態の変形例について説明する。図８は、第１実施形態の変形例に係る積層コンデンサが備える各内部電極の構成を示す図である。
【００８５】
本変形例に係る積層コンデンサは、その図示を省略するが、第１実施形態に係る積層コンデンサＣ１と同じく、素体Ｅ１と、第１〜第４の内部電極２１，３１，４１，４５と、第１及び第２の端子電極１０，１２と、第１及び第２の接続導体１４，１６とを備えている。図８に示されるように、本変形例に係る積層コンデンサでは、第１及び第２の内部電極２１，３１の形状が第１実施形態と異なっている。
【００８６】
本変形例の第１の内部電極２１は、第１実施形態の第１の内部電極２１が有する主電極２２、連結導体２３，２４、及び引出導体２６〜２８を有している。本変形例の第１の内部電極２１は、第１実施形態の第１の内部電極２１が有する引出導体２５の代わりに、引出導体５９を有している。引出導体５９の一端部は引出導体２６に接続され、引出導体５９の他端部は引出導体２７に接続されている。引出導体５９は、主電極２２との間に間隙を設けた状態で、素体Ｅ１の側面２に沿って伸びているが、側面２から露出はしていない。
【００８７】
本変形例の第２の内部電極３１は、第１実施形態の第２の内部電極３１が有する主電極３２、連結導体３３，３４、及び引出導体３６〜３８を有している。本変形例の第２の内部電極３１は、第１実施形態の第２の内部電極３１が有する引出導体３５の代わりに、引出導体６０を有している。引出導体６０の一端部は引出導体３６に接続され、引出導体６０の他端部は引出導体３７に接続されている。引出導体６０は、主電極３２との間に間隙を設けた状態で、素体Ｅ１の側面３に沿って伸びているが、側面３から露出はしていない。
【００８８】
このような積層コンデンサでも、第１及び第２の内部電極２１，３１の電流経路上において該経路の幅が絞られる箇所が形成され、更に第１及び第２の端子電極１０，１２に直接的に接続されない第３及び第４の内部電極４１，４５を有するため、ＥＳＲを大きくすることができる。
【００８９】
図９に基づいて、第１実施形態の変形例について説明する。図９は、第１実施形態の変形例に係る積層コンデンサが備える各内部電極の構成を示す図である。
【００９０】
本変形例に係る積層コンデンサは、その図示を省略するが、第１実施形態に係る積層コンデンサＣ１と同じく、素体Ｅ１と、第１〜第４の内部電極２１，３１，４１，４５と、第１及び第２の端子電極１０，１２と、第１及び第２の接続導体１４，１６とを備えている。図９に示されるように、本変形例に係る積層コンデンサでは、第１及び第２の内部電極２１，３１の形状が第１実施形態と異なっている。
【００９１】
本変形例の第１の内部電極２１は、第１実施形態の第１の内部電極２１が有する主電極２２、連結導体２３、及び引出導体２５，２６，２８を有しているが、第１実施形態の第１の内部電極２１が有する連結導体２４及び引出導体２７は有していない。本変形例の第２の内部電極３１は、第１実施形態の第２の内部電極３１が有する主電極３２、連結導体３３、及び引出導体３５，３６，３８を有しているが、第１実施形態の第２の内部電極３１が有する連結導体３４及び引出導体３７は有していない。
【００９２】
このような積層コンデンサでも、第１及び第２の内部電極２１，３１の電流経路上において該経路の幅が絞られる箇所が形成され、更に第１及び第２の端子電極１０，１２に直接的に接続されない第３及び第４の内部電極４１，４５を有するため、ＥＳＲを大きくすることができる。また、第１及び第２の端子電極１０，１２から主電極２２，３２に至る電流経路がそれぞれ１つであるため、ＥＳＲを更に高めることができる。
【００９３】
図１０に基づいて、第１実施形態の変形例について説明する。図１０は、第１実施形態の変形例に係る積層コンデンサが備える各内部電極の構成を示す図である。
【００９４】
本変形例に係る積層コンデンサは、その図示を省略するが、第１実施形態に係る積層コンデンサＣ１と同じく、素体Ｅ１と、第１〜第４の内部電極２１，３１，４１，４５と、第１及び第２の端子電極１０，１２と、第１及び第２の接続導体１４，１６とを備えている。図１０に示されるように、本変形例に係る積層コンデンサでは、第１及び第２の内部電極２１，３１の形状が第１実施形態と異なっている。
【００９５】
本変形例の第１の内部電極２１は、第１実施形態の第１の内部電極２１が有する主電極２２、連結導体２３，２４、及び引出導体２６〜２８を有しているが、第１実施形態の第１の内部電極２１が有する引出導体２５は有していない。本変形例の第２の内部電極３１は、第１実施形態の第２の内部電極３１が有する主電極３２、連結導体３３，３４、及び引出導体３６〜３８を有しているが、第１実施形態の第２の内部電極３１が有する引出導体３５は有していない。
【００９６】
本変形例に係る積層コンデンサでは、引出導体２７は引出導体２６と非連続となっており、引出導体３７は引出導体３６と非連続となっているが、積層コンデンサＣ１を側面１が実装基板と対向するように実装基板上に配置した場合には、第１及び第２の端子電極１０，１２を介して引出導体２６，２７，３６，３７のいずれにも電流が流れることとなる。このような積層コンデンサでも、第１及び第２の内部電極２１，３１の電流経路上において該経路の幅が絞られる箇所が形成され、更に第１及び第２の端子電極１０，１２に直接的に接続されない第３及び第４の内部電極４１，４５を有するため、ＥＳＲを大きくすることができる。
【００９７】
図１１に基づいて、第１実施形態の変形例について説明する。図１１は、第１実施形態の変形例に係る積層コンデンサが備える各内部電極の構成を示す図である。
【００９８】
本変形例に係る積層コンデンサは、その図示を省略するが、第１実施形態に係る積層コンデンサＣ１と同じく、素体Ｅ１と、第１〜第４の内部電極２１，３１，４１，４５と、第１及び第２の端子電極１０，１２と、第１及び第２の接続導体１４，１６とを備えている。図１１に示されるように、本変形例に係る積層コンデンサでは、第１及び第２の内部電極２１，３１の形状が第１実施形態と異なっている。
【００９９】
本変形例の第１の内部電極２１は、第１実施形態の第１の内部電極２１が有する主電極２２、連結導体２３、及び引出導体２６，２８を有しているが、第１実施形態の第１の内部電極２１が有する連結導体２４及び引出導体２５，２７は有していない。本変形例の第２の内部電極３１は、第１実施形態の第２の内部電極３１が有する主電極３２、連結導体３３、及び引出導体３６，３８を有しているが、第１実施形態の第２の内部電極３１が有する連結導体３４及び引出導体３５，３７は有していない。
【０１００】
このような積層コンデンサでも、第１及び第２の内部電極２１，３１の電流経路上において該経路の幅が絞られる箇所が形成され、更に第１及び第２の端子電極１０，１２に直接的に接続されない第３及び第４の内部電極４１，４５を有するため、ＥＳＲを大きくすることができる。また、第１及び第２の端子電極１０，１２から主電極２２，３２に至る電流経路がそれぞれ１つであるため、ＥＳＲを更に高めることができる。
（第２実施形態）
【０１０１】
図１２は、第２実施形態に係る積層コンデンサが備える素体の分解斜視図である。図１３は、第２実施形態に係る積層コンデンサが備える各内部電極の構成を示す図である。
【０１０２】
第２実施形態に係る積層コンデンサは、その図示を省略するが、第１実施形態に係る積層コンデンサＣ１と同じく、直方体状をした素体Ｅ１と、第１及び第２の端子電極１０，１２と、第１及び第２の接続導体１４，１６とを備えている。素体Ｅ１に対する第１及び第２の端子電極１０，１２と第１及び第２の接続導体１４，１６との配置位置は、第１実施形態に係る積層コンデンサＣ１と同一である。
【０１０３】
第２実施形態に係る積層コンデンサは、１層の第１の内部電極７１と、複数（本実施形態では３層）の第２の内部電極８１と、複数（本実施形態では２層）の第３の内部電極９１とを素体Ｅ１内に備えている。本実施形態に係る積層コンデンサでは、第１〜第３の内部電極７１，８１，９１は、第１の内部電極７１、第２の内部電極８１、第３の内部電極９１、第２の内部電極８１、第３の内部電極９１、第２の内部電極８１、の順で、間に絶縁体層１８を挟んだ状態で積層されている。これらの内部電極は、導電性ペーストの焼結体から構成される。
【０１０４】
第１の内部電極７１は、絶縁体層１８を間に挟んだ状態で第２の内部電極８１と隣り合っている。図１３（ａ）に示されるように、第１の内部電極７１は、主電極（第１の主電極）７２と、連結導体７３，７４と、引出導体７５〜７９とを有している。
【０１０５】
主電極７２は、長方形状を呈しており、側面５，６の長辺方向を長辺方向としている。主電極７２は、長辺方向に伸びる一対の縁部８０ａ，８０ｂを有している。縁部８０ａは側面１側に位置し、縁部８０ｂは側面４側に位置している。
【０１０６】
主電極７２は、容量形成領域を含んでいる。容量形成領域は、絶縁体層１８の積層方向からみたときに、後述する第２の内部電極８１の主電極８２と重なり合う領域である。本実施形態では、主電極７２と主電極８２とは全体的に重なり合っている。そのため、主電極７２全体が容量形成領域であるといえる。
【０１０７】
連結導体（第１の連結導体）７３は、主電極７２に接続されており、主電極７２からみて側面１側に位置している。連結導体７３は、主電極７２の縁部８０ａから素体Ｅ１の側面１に向かって伸びている。
【０１０８】
引出導体（第１の引出導体）７６は、一端部が連結導体７３に接続され、主電極７２との間に間隙を設けた状態で、素体Ｅ１の側面１に沿い側面２に向かって伸びている。また引出導体７６のうち、側面１側の縁部は、側面１から露出して第１の端子電極１０に電気的且つ物理的に接続されている。引出導体７６が伸びる方向において、連結導体７３の長さＬ２１は、引出導体７６及び主電極７２の長さＬ２２，Ｌ２３よりも短くなっている。
【０１０９】
連結導体７４は、主電極７２に接続されており、主電極７２からみて側面４側に位置している。連結導体７４は、主電極７２の縁部８０ｂから素体Ｅ１の側面４に向かって伸びている。
【０１１０】
引出導体７７は、一端部が連結導体７４に接続され、主電極７２との間に間隙を設けた状態で、素体Ｅ１の側面４に沿い側面２に向かって伸びている。また引出導体７７のうち、側面４側の縁部は、側面４から露出して第１の端子電極１０に電気的且つ物理的に接続されている。引出導体７７が伸びる方向において、連結導体７４の長さは、引出導体７７及び主電極７２の長さよりも短くなっている。
【０１１１】
引出導体（第７の引出導体）７５は、引出導体７６，７７に連結されている。より具体的には、引出導体７５の一端部は引出導体７６に接続され、引出導体７５の他端部は引出導体７７に接続されている。引出導体７５は、主電極７２との間に間隙を設けた状態で、素体Ｅ１の側面２に沿って伸びている。引出導体７５のうち側面２側の縁部は、側面２から露出して第１の端子電極１０に電気的且つ物理的に接続されている。
【０１１２】
引出導体（第２の引出導体）７８は、主電極７２からみて側面４側に位置している。引出導体７８の一端部は主電極７２に接続され、引出導体７８の他端部は側面４から露出して第１の接続導体１４に電気的且つ物理的に接続されている。引出導体７８は、主電極７２の縁部８０ｂから素体Ｅ１の側面４に向かって伸びている。引出導体７８は、側面１，４の対向方向から見たときに、連結導体７３と連結導体８３との間に位置すると共に、連結導体７４と連結導体８４との間に位置している。
【０１１３】
引出導体７９は、主電極７２からみて側面１側に位置している。引出導体７９の一端部は主電極７２に接続され、引出導体７９の他端部は側面１から露出して第２の接続導体１６に電気的且つ物理的に接続されている。引出導体７９は、主電極７２の縁部８０ａから素体Ｅ１の側面１に向かって伸びている。引出導体７９は、側面１，４の対向方向から見たときに、連結導体７３と連結導体８３との間に位置すると共に、連結導体７４と連結導体８４との間に位置している。
【０１１４】
第２の内部電極８１は、図１３（ｂ）に示されるように、主電極（第２の主電極）８２と、連結導体８３，８４と、引出導体８５〜８７とを有している。
【０１１５】
主電極８２は、長方形状を呈しており、側面５，６の長辺方向を長辺方向としている。主電極８２は、長辺方向に伸びる一対の縁部８９ａ，８９ｂを有している。縁部８９ａは側面１側に位置し、縁部８９ｂは側面４側に位置している。
【０１１６】
主電極８２は、容量形成領域を含んでいる。容量形成領域は、絶縁体層１８の積層方向からみたときに、第１の内部電極７１の主電極７２と重なり合う領域である。本実施形態では、主電極７２と主電極８２とは全体的に重なり合っている。そのため、主電極８２全体が容量形成領域であるといえる。
【０１１７】
連結導体（第２の連結導体）８３は、主電極８２に接続されており、主電極８２からみて側面１側に位置している。連結導体８３は、主電極８２の縁部８９ａから素体Ｅ１の側面１に向かって伸びている。
【０１１８】
引出導体（第３の引出導体）８６は、一端部が連結導体８３に接続され、主電極８２との間に間隙を設けた状態で、素体Ｅ１の側面１に沿い側面３に向かって伸びている。また引出導体８６のうち、側面１側の縁部は、側面１から露出して第２の端子電極１２に電気的且つ物理的に接続されている。引出導体８６が伸びる方向において、連結導体８３の長さＬ３１は、引出導体８６及び主電極８２の長さＬ３２，Ｌ３３よりも短くなっている。
【０１１９】
連結導体８４は、主電極８２に接続されており、主電極８２からみて側面４側に位置している。連結導体８４は、主電極８２の縁部８９ｂから素体Ｅ１の側面４に向かって伸びている。
【０１２０】
引出導体８７は、一端部が連結導体８４に接続され、主電極８２との間に間隙を設けた状態で、素体Ｅ１の側面４に沿い側面３に向かって伸びている。また引出導体８７のうち、側面４側の縁部は、側面４から露出して第２の端子電極１２に電気的且つ物理的に接続されている。引出導体８７が伸びる方向において、連結導体８４の長さは、引出導体８７及び主電極８２の長さよりも短くなっている。
【０１２１】
引出導体（第８の引出導体）８５は、引出導体８６及び引出導体８７に連結されている。より具体的には、引出導体８５の一端部は引出導体８６に接続され、引出導体８５の他端部は引出導体８７に接続されている。引出導体８５は、主電極８２との間に間隙を設けた状態で、素体Ｅ１の側面３に沿って伸びている。引出導体８５のうち側面３側の縁部は、側面３から露出して第２の端子電極１２に電気的且つ物理的に接続されている。
【０１２２】
第３の内部電極９１は、図１３（ｃ）に示されるように、主電極（第３の主電極）９２と、引出導体９３，９４とを有している。
【０１２３】
主電極９２は、長方形状を呈しており、側面５，６の長辺方向を長辺方向としている。主電極９２は、長辺方向に伸びる一対の縁部９５ａ，９５ｂを有している。縁部９５ａは側面１側に位置し、縁部９５ｂは側面４側に位置している。主電極９２は、容量形成領域を含んでいる。容量形成領域は、絶縁体層１８の積層方向からみたときに、第１及び第２の内部電極７１，８１の主電極７２，８２と重なり合う領域である。本実施形態では、主電極９２は、主電極７２，８２と全体的に重なり合っている。そのため、主電極９２全体が容量形成領域であるといえる。
【０１２４】
引出導体（第４の引出導体）９３は、主電極９２からみて側面４側に位置している。引出導体９３の一端部は主電極９２に接続され、引出導体９３の他端部は側面４から露出して第１の接続導体１４に電気的且つ物理的に接続されている。引出導体９３は、主電極９２の縁部９５ｂから素体Ｅ１の側面４に向かって伸びている。引出導体９３は、側面１，４の対向方向から見たときに、連結導体７３と連結導体８３との間に位置すると共に、連結導体７４と連結導体８４との間に位置している。
【０１２５】
引出導体９４は、主電極９２からみて側面１側に位置している。引出導体９４の一端部は主電極９２に接続され、引出導体９４の他端部は側面１から露出して第２の接続導体１６に電気的且つ物理的に接続されている。引出導体９４は、主電極９２の縁部９５ａから素体Ｅ１の側面１に向かって伸びている。引出導体９４は、側面１，４の対向方向から見たときに、連結導体７３と連結導体８３との間に位置すると共に、連結導体７４と連結導体８４との間に位置している。
【０１２６】
以上の構成を有する第２実施形態に係る積層コンデンサによれば、第１の内部電極７１において主電極７２と引出導体７６とは連結導体７３によって接続され、第２の内部電極８１において主電極８２と引出導体８６とは連結導体８３によって接続される。引出導体７６が伸びる方向において、連結導体７３は、引出導体７６及び主電極７２の長さよりも短くなっている。引出導体８６が伸びる方向において、連結導体８３は、引出導体８６及び主電極８２の長さよりも短くなっている。すなわち、引出導体７６，８６と主電極７２，８２との間は、幅狭となっている。したがって第２実施形態に係る積層コンデンサでは、第１及び第２の内部電極７１，８１の電流経路上において該経路の幅が絞られる箇所が形成されることとなるため、ＥＳＲを大きくすることができる。
【０１２７】
第１の内部電極７１は、第１の端子電極１０と第１及び第２の接続導体１４，１６とに接続される。第３の内部電極９１は、第１の端子電極１０には接続されず、第１及び第２の接続導体１４，１６にのみ接続される。したがって、第３の内部電極９１は第１の内部電極７１を介して第１の端子電極１０に間接的に接続されることとなる。したがって第２実施形態に係る積層コンデンサでは、第１の端子電極１０に直接的に接続されない内部電極を有することとなるため、ＥＳＲをより大きくすることができる。
【０１２８】
主電極７２，８２は、絶縁体層１８を間に挟んだ状態で隣り合っている。主電極７２，８２は、異なる端子電極に接続されるため、電圧印加時において静電容量成分を形成することになる。よって第２実施形態に係る積層コンデンサでは、静電容量を確保することができる。
【０１２９】
また、主電極８２，９２は、絶縁体層１８を間に挟んだ状態で隣り合っている。主電極８２，９２は、異なる端子電極に接続されるため、電圧印加時において静電容量成分を形成することになる。よって第２実施形態に係る積層コンデンサでは、静電容量をより充分に確保することができる。
【０１３０】
連結導体７３は主電極７２の縁部８０ａに接続され、素体Ｅ１の側面１に向かって伸びている。連結導体８３は主電極８２の縁部８９ａに接続され、素体Ｅ１の側面１に向かって伸びている。したがって連結導体７３，８３は、積層方向から見ると、互いに平行な状態で近くに位置することとなる。また、連結導体７３は第１の端子電極１０に接続され、連結導体８３は第１の端子電極１０とは極性が異なる第２の端子電極１２に接続されている。よって連結導体７３，８３には、第２実施形態に係る積層コンデンサに電圧を印加した際、互いに逆向きの電流が流れることとなるため、電流に起因して発生する磁界を一部相殺することができる。よって第２実施形態に係る積層コンデンサでは、ＥＳＬを低くすることも可能となる。図１３中の矢印は、第１の端子電極１０を陰極とし第２の端子電極１２を陽極とした場合における電流の向きを示している。
（第３実施形態）
【０１３１】
図１４は、第３実施形態に係る積層コンデンサが備える各内部電極の構成を示す図である。第３実施形態に係る積層コンデンサは、その図示を省略するが、第１及び第２実施形態に係る積層コンデンサＣ１と同じく、直方体状をした素体Ｅ１と、第１及び第２の端子電極１０，１２と、第１及び第２の接続導体１４，１６とを備えている。素体Ｅ１に対する第１及び第２の端子電極１０，１２と第１及び第２の接続導体１４，１６との配置位置は、第１実施形態に係る積層コンデンサＣ１と同一である。
【０１３２】
第１実施形態で述べたように、素体Ｅ１は側面１〜６を有している。側面１は側面（第１の側面）４と対向し、側面（第２の側面）２は側面（第３の側面）３と対向し、側面５は側面６と対向している。側面５，６は長方形状を呈しており、側面１，４は、側面５，６を連結するように側面５，６の長辺方向に沿って伸びている。側面２，３は、側面５，６を連結するように側面５，６の短辺方向に沿って伸びている。第３実施形態に係る積層コンデンサは、側面１が実装基板と対向するように実装基板に配置される。
【０１３３】
第３実施形態に係る積層コンデンサは、第１実施形態に係る積層コンデンサＣ１における第１及び第２の内部電極２１，３１の代わりに、第１及び第２の内部電極１０１，１１１を素体Ｅ１内に備えている。
【０１３４】
第１の内部電極１０１は、絶縁体層１８を間に挟んだ状態で第２の内部電極１１１と隣り合っている。図１４（ａ）に示されるように、第１の内部電極１０１は、主電極（第１の主電極）１０２と、連結導体１０４と、引出導体１０５〜１０８とを有している。
【０１３５】
主電極１０２は、長方形状を呈しており、側面５，６の長辺方向を長辺方向としている。主電極１０２は、長辺方向に伸びる一対の縁部１０９ａ，１０９ｂを有している。縁部１０９ａは側面１側に位置し、縁部１０９ｂは側面４側に位置している。主電極１０２は、容量形成領域を含んでいる。容量形成領域は、後述する第２の内部電極１１１の主電極１１２と重なり合う領域である。本実施形態では、主電極１０２と主電極４２，４６，１１２とは全体的に重なり合っている。そのため、主電極１０２全体が容量形成領域であるといえる。なお、絶縁体層１８の積層方向からみたときに、第３の内部電極４１の主電極４２及び第４の内部電極４５の主電極４６は、第１の内部電極１０１の主電極１０２及び第２の内部電極１１１の主電極１１２と重なり合っている。
【０１３６】
連結導体（第１の連結導体）１０４は、主電極１０２に接続されており、主電極１０２からみて側面４側に位置している。連結導体１０４は、主電極１０２の縁部１０９ｂから素体Ｅ１の側面４に向かって伸びている。
【０１３７】
引出導体（第１の引出導体）１０７は、一端部が連結導体１０４に接続され、主電極１０２との間に間隙を設けた状態で、素体Ｅ１の側面４に沿い側面２に向かって伸びている。また引出導体１０７のうち、側面４側の縁部は、側面４から露出して第１の端子電極１０に電気的且つ物理的に接続されている。引出導体１０７が伸びる方向において、連結導体１０４の長さＬ４１は、引出導体１０７及び主電極１０２の長さＬ４２，Ｌ４３よりも短くなっている。
【０１３８】
引出導体１０６は、主電極１０２からみて側面１側に位置している。引出導体１０６は、主電極１０２との間に間隙を設けた状態で、素体Ｅ１の側面１に沿い側面２に向かって伸びている。また引出導体１０６のうち、側面１側の縁部は、側面１から露出して第１の端子電極１０に電気的且つ物理的に接続されている。
【０１３９】
引出導体１０５は、引出導体１０６，１０７に連結されている。より具体的には、引出導体１０５の一端部は引出導体１０６に接続され、引出導体１０５の他端部は引出導体１０７に接続されている。引出導体１０５は、主電極１０２との間に間隙を設けた状態で、素体Ｅ１の側面２に沿って伸びている。引出導体１０５のうち側面２側の縁部は、側面２から露出して第１の端子電極１０に電気的且つ物理的に接続されている。
【０１４０】
引出導体（第２の引出導体）１０８は、主電極１０２からみて側面４側に位置している。引出導体１０８の一端部は主電極１０２に接続され、引出導体１０８の他端部は側面４から露出して第１の接続導体１４に電気的且つ物理的に接続されている。引出導体１０８は、主電極１０２の縁部１０９ｂから素体Ｅ１の側面４に向かって伸びている。引出導体１０８は、側面１，４の対向方向から見たときに、連結導体１０４と連結導体１１３との間に位置している。
【０１４１】
第２の内部電極１１１は、図１４（ｂ）に示されるように、主電極（第２の主電極）１１２と、連結導体１１３と、引出導体１１５〜１１８とを有している。
【０１４２】
主電極１１２は、長方形状を呈しており、側面５，６の長辺方向を長辺方向としている。主電極１１２は、長辺方向に伸びる一対の縁部１１９ａ，１１９ｂを有している。縁部１１９ａは側面１側に位置し、縁部１１９ｂは側面４側に位置している。主電極１１２は、容量形成領域を含んでいる。容量形成領域は、絶縁体層１８の積層方向からみたときに、第１の内部電極１０１の主電極１０２と重なり合う領域である。本実施形態では、主電極１０２と主電極１１２とは全体的に重なり合っている。そのため、主電極１１２全体が容量形成領域であるといえる。
【０１４３】
連結導体（第２の連結導体）１１３は、主電極１１２に接続されており、主電極１１２からみて側面１側に位置している。連結導体１１３は、主電極１１２の縁部１１９ａから素体Ｅ１の側面１に向かって伸びている。
【０１４４】
引出導体（第３の引出導体）１１６は、一端部が連結導体１１３に接続され、主電極１１２との間に間隙を設けた状態で、素体Ｅ１の側面１に沿い側面３に向かって伸びている。また引出導体１１６のうち、側面１側の縁部は、側面１から露出して第２の端子電極１２に電気的且つ物理的に接続されている。引出導体１１６が伸びる方向において、連結導体１１３の長さＬ５１は、引出導体１１６及び主電極１１２の長さＬ５２，Ｌ５３よりも短くなっている。
【０１４５】
引出導体１１７は、主電極１１２からみて側面４側に位置している。引出導体１１７は、主電極１１２との間に間隙を設けた状態で、素体Ｅ１の側面４に沿い側面３に向かって伸びている。また引出導体１１７のうち、側面４側の縁部は、側面４から露出して第２の端子電極１２に電気的且つ物理的に接続されている。
【０１４６】
引出導体１１５は、引出導体１１６及び引出導体１１７に連結されている。より具体的には、引出導体１１５の一端部は引出導体１１６に接続され、引出導体１１５の他端部は引出導体１１７に接続されている。引出導体１１５は、主電極１１２との間に間隙を設けた状態で、素体Ｅ１の側面３に沿って伸びている。引出導体１１５のうち側面３側の縁部は、側面３から露出して第２の端子電極１２に電気的且つ物理的に接続されている。
【０１４７】
引出導体（第５の引出導体）１１８は、主電極１１２からみて側面１側に位置している。引出導体１１８の一端部は主電極１１２に接続され、引出導体１１８の他端部は側面１から露出して第２の接続導体１６に電気的且つ物理的に接続されている。引出導体１１８は、主電極１１２の縁部１１９ａから素体Ｅ１の側面１に向かって伸びている。引出導体１１８は、側面１，４の対向方向から見たときに、連結導体１０４と連結導体１１３との間に位置している。
【０１４８】
以上の構成を有する第３実施形態に係る積層コンデンサによれば、第１の内部電極１０１の引出導体１０７と主電極１０２とは連結導体１０４によって接続され、第２の内部電極１１１の引出導体１１６と主電極１１２とは連結導体１１３によって接続される。引出導体１０７が伸びる方向において、連結導体１０４は、引出導体１０７及び主電極１０２の長さよりも短くなっている。引出導体１１６が伸びる方向において、連結導体１１３は、引出導体１１６及び主電極１１２の長さよりも短くなっている。すなわち、引出導体１０７，１１６と主電極１０２，１１２との間は、幅狭となっている。したがって第３実施形態に係る積層コンデンサでは、第１及び第２の内部電極１０１，１１１の電流経路上において該経路の幅が絞られる箇所が形成されることとなるため、ＥＳＲを大きくすることができる。
【０１４９】
第１の内部電極１０１は、第１の端子電極１０と第１の接続導体１４とに接続される。第３の内部電極４１は、第１の端子電極１０には接続されず、第１の接続導体１４にのみ接続される。したがって、第３の内部電極４１は第１の内部電極１０１を介して第１の端子電極１０に間接的に接続されることとなる。よって第３実施形態に係る積層コンデンサでは、第１の端子電極に直接的に接続されない内部電極を有することとなるため、ＥＳＲをより大きくすることができる。
【０１５０】
また、第２の内部電極１１１は、第２の端子電極１２と第２の接続導体１６とに接続される。第４の内部電極４５は、第２の端子電極１２には接続されず、第２の接続導体１６にのみ接続される。したがって、第４の内部電極４５は第２の内部電極１１１を介して第２の端子電極１２に間接的に接続されることとなる。よって第３実施形態に係る積層コンデンサでは、第２の端子電極に直接的に接続されない内部電極を有することとなるため、ＥＳＲを更に大きくすることができる。
【０１５１】
主電極１０２，１１２は、絶縁体層１８を間に挟んだ状態で隣り合っている。主電極１０２，１１２は、異なる端子電極に接続されるため、電圧印加時において静電容量成分を形成することになる。よって第３実施形態に係る積層コンデンサでは、静電容量を確保することができる。
【０１５２】
続いて、図１５に基づいて、第３実施形態の変形例について説明する。図１５は、第３実施形態の変形例に係る積層コンデンサが備える各内部電極の構成を示す図である。
【０１５３】
本変形例に係る積層コンデンサは、その図示を省略するが、第３実施形態に係る積層コンデンサＣ１と同じく、素体Ｅ１と、第１〜第４の内部電極１０１，１１１，４１，４５と、第１及び第２の端子電極１０，１２と、第１及び第２の接続導体１４，１６とを備えている。図１５に示されるように、本変形例に係る積層コンデンサでは、第１及び第２の内部電極１０１，１１１の形状が第３実施形態と異なっている。
【０１５４】
本変形例の第１の内部電極１０１は、第３実施形態の第１の内部電極１０１が有する主電極１０２、連結導体１０４、及び引出導体１０５，１０７を有しているが、第３実施形態の第１の内部電極１０１が有する引出導体１０６は有していない。また、本変形例の第１の内部電極１０１は、連結導体１０３を有している。連結導体１０３は、主電極１０２に接続されており、主電極１０２からみて側面２側に位置している。連結導体１０３は、主電極１０２から素体Ｅ１の側面２に向かって伸びており、引出導体１０５に接続されている。
【０１５５】
本変形例の第２の内部電極１１１は、第３実施形態の第２の内部電極１１１が有する主電極１１２、連結導体１１３、及び引出導体１１６，１１８を有しているが、第３実施形態の第２の内部電極１１１が有する引出導体１１７は有していない。また、本変形例の第２の内部電極１１１は、連結導体１１４を有している。連結導体１１４は、主電極１１２に接続されており、主電極１１２からみて側面３側に位置している。連結導体１１４は、主電極１１２から素体Ｅ１の側面３に向かって伸びており、引出導体１１５に接続されている。
【０１５６】
このような積層コンデンサでも、第１及び第２の内部電極１０１，１１１の電流経路上において該経路の幅が絞られる箇所が形成され、第１及び第２の端子電極１０，１２に直接的に接続されない第３及び第４の内部電極４１，４５を有するため、ＥＳＲを大きくすることができる。
（第４実施形態）
【０１５７】
図１６は、第４実施形態に係る積層コンデンサが備える各内部電極の構成を示す図である。第４実施形態に係る積層コンデンサは、その図示を省略するが、第１〜第３実施形態に係る積層コンデンサと同じく、直方体状をした素体Ｅ１と、第１及び第２の端子電極１０，１２と、第１の接続導体１４とを備えている。ただし第４実施形態に係る積層コンデンサは、第１〜第３実施形態に係る積層コンデンサが備える第２の接続導体１６については、備えていない。
【０１５８】
第４実施形態に係る積層コンデンサは、第２実施形態に係る積層コンデンサと似た構成を有しているが、第１〜３の内部電極の形状が第２実施形態に係る積層コンデンサのそれと相違している。第４実施形態に係る積層コンデンサでは、第２実施形態に係る積層コンデンサにおける第１〜３の内部電極７１，８１，９１の代わりに、第１〜３の内部電極１２１，１３１，１４１を素体Ｅ１内に備えている。第１〜３の内部電極１２１，１３１，１４１の並びは、第２実施形態に係る積層コンデンサにおける第１〜３の内部電極７１，８１，９１の並びと同一である。
【０１５９】
第１の内部電極１２１は、絶縁体層１８を間に挟んだ状態で第２の内部電極１３１と隣り合っている。図１６（ａ）に示されるように、第１の内部電極１２１は、主電極（第１の主電極）１２２と、連結導体１２３，１２４と、引出導体１２５，１２７，１２８とを有している。
【０１６０】
主電極１２２は、長方形状を呈しており、側面５，６の長辺方向を長辺方向としている。主電極１２２は、長辺方向に伸びる一対の縁部１２９ａ，１２９ｂを有している。縁部１２９ａは側面１側に位置し、縁部１２９ｂは側面４側に位置している。主電極１２２は、容量形成領域を含んでいる。容量形成領域は、絶縁体層１８の積層方向からみたときに、後述する第２の内部電極１３１の主電極１３２と重なり合う領域である。本実施形態では、主電極１２２と主電極１３２とは全体的に重なり合っている。そのため、主電極１２２全体が容量形成領域であるといえる。
【０１６１】
連結導体１２３は、主電極１２２に接続されており、主電極１２２からみて側面２側に位置している。連結導体１２３は、主電極１２２から素体Ｅ１の側面２に向かって伸びている。
【０１６２】
連結導体（第１の連結導体）１２４は、主電極１２２に接続されており、主電極１２２からみて側面４側に位置している。連結導体１２４は、主電極１２２の縁部１２９ｂから素体Ｅ１の側面４に向かって伸びている。
【０１６３】
引出導体（第１の引出導体）１２７は、一端部が連結導体１２４に接続され、主電極１２２との間に間隙を設けた状態で、素体Ｅ１の側面４に沿い側面２に向かって伸びている。また引出導体１２７のうち、側面４側の縁部は、側面４から露出して第１の端子電極１０に電気的且つ物理的に接続されている。引出導体１２７が伸びる方向において、連結導体１２４の長さは、引出導体１２７及び主電極１２２の長さよりも短くなっている。
【０１６４】
引出導体１２５は、引出導体１２７及び連結導体１２３に連結されている。より具体的には、引出導体１２５の一端部は引出導体１２７に接続され、引出導体１２５の他端部は連結導体１２３に接続されている。引出導体１２５は、主電極１２２との間に間隙を設けた状態で、素体Ｅ１の側面２に沿って伸びている。引出導体１２５のうち側面２側の縁部は、側面２から露出して第１の端子電極１０に電気的且つ物理的に接続されている。
【０１６５】
引出導体（第２の引出導体）１２８は、主電極１２２からみて側面４側に位置している。引出導体１２８の一端部は主電極１２２に接続され、引出導体１２８の他端部は側面４から露出して第１の接続導体１４に電気的且つ物理的に接続されている。引出導体１２８は、主電極１２２の縁部１２９ｂから素体Ｅ１の側面４に向かって伸びている。引出導体１２８は、側面１，４の対向方向から見たときに、連結導体１２４と連結導体１３３との間に位置している。
【０１６６】
第２の内部電極１３１は、図１６（ｂ）に示されるように、主電極（第２の主電極）１３２と、連結導体１３３，１３４と、引出導体１３５，１３６とを有している。
【０１６７】
主電極１３２は、長方形状を呈しており、側面５，６の長辺方向を長辺方向としている。主電極１３２は、長辺方向に伸びる一対の縁部１３９ａ，１３９ｂを有している。縁部１３９ａは側面１側に位置し、縁部１３９ｂは側面４側に位置している。主電極１３２は、容量形成領域を含んでいる。容量形成領域は、絶縁体層１８の積層方向からみたときに、第１の内部電極１２１の主電極１２２と重なり合う領域である。本実施形態では、主電極１２２と主電極１３２とは全体的に重なり合っている。そのため、主電極１３２全体が容量形成領域であるといえる。
【０１６８】
連結導体（第２の連結導体）１３３は、主電極１３２に接続されており、主電極１３２からみて側面１側に位置している。連結導体１３３は、主電極１３２の縁部１３９ａから素体Ｅ１の側面１に向かって伸びている。
【０１６９】
引出導体（第３の引出導体）１３６は、一端部が連結導体１３３に接続され、主電極１３２との間に間隙を設けた状態で、素体Ｅ１の側面１に沿い側面３に向かって伸びている。また引出導体１３６のうち、側面１側の縁部は、側面１から露出して第２の端子電極１２に電気的且つ物理的に接続されている。引出導体１３６が伸びる方向において、連結導体１３３の長さは、引出導体１３６及び主電極１３２の長さよりも短くなっている。
【０１７０】
連結導体１３４は、主電極１３２に接続されており、主電極１３２からみて側面３側に位置している。連結導体１３４は、主電極１３２から素体Ｅ１の側面３に向かって伸びている。
【０１７１】
引出導体１３５は、引出導体１３６及び連結導体１３４に連結されている。より具体的には、引出導体１３５の一端部は引出導体１３６に接続され、引出導体１３５の他端部は連結導体１３４に接続されている。引出導体１３５は、主電極１３２との間に間隙を設けた状態で、素体Ｅ１の側面３に沿って伸びている。引出導体１３５のうち側面３側の縁部は、側面３から露出して第２の端子電極１２に電気的且つ物理的に接続されている。
【０１７２】
第３の内部電極１４１は、図１６（ｃ）に示されるように、主電極（第３の主電極）１４２と、引出導体（第４の引出導体）１４３とを有している。
【０１７３】
主電極１４２は、長方形状を呈しており、側面５，６の長辺方向を長辺方向としている。主電極１４２は、長辺方向に伸びる一対の縁部１４５ａ，１４５ｂを有している。縁部１４５ａは側面１側に位置し、縁部１４５ｂは側面４側に位置している。主電極１４２は、容量形成領域を含んでいる。容量形成領域は、絶縁体層１８の積層方向からみたときに、第１の内部電極１２１の主電極１２２及び第２の内部電極１３１の主電極１３２と重なり合う領域である。本実施形態では、主電極１４２は、主電極１２２，１３２と全体的に重なり合っている。そのため、主電極１４２全体が容量形成領域であるといえる。
【０１７４】
引出導体１４３は、主電極１４２からみて側面４側に位置している。引出導体１４３の一端部は主電極１４２に接続され、引出導体１４３の他端部は側面４から露出して第１の接続導体１４に電気的且つ物理的に接続されている。引出導体１４３は、主電極１４２の縁部１４５ｂから素体Ｅ１の側面４に向かって伸びている。引出導体１４３は、側面１，４の対向方向から見たときに、連結導体１２４と連結導体１３３との間に位置している。
【０１７５】
以上の構成を有する第４実施形態に係る積層コンデンサによれば、第１の内部電極１２１の引出導体１２７と主電極１２２とは連結導体１２４によって接続され、第２の内部電極１３１の引出導体１３６と主電極１３２とは連結導体１３３によって接続される。引出導体１２７が伸びる方向において、連結導体１２４は、引出導体１２７及び主電極１２２の長さよりも短くなっている。引出導体１３６が伸びる方向において、連結導体１３３は、引出導体１３６及び主電極１３２の長さよりも短くなっている。すなわち、引出導体１２７，１３６と主電極１２２，１３２との間は、幅狭となっている。したがって第４実施形態に係る積層コンデンサでは、第１及び第２の内部電極１２１，１３１の電流経路上において該経路の幅が絞られる箇所が形成されることとなるため、ＥＳＲを大きくすることができる。
【０１７６】
第１の内部電極１２１は、第１の端子電極１０と第１の接続導体１４とに接続される。第３の内部電極１４１は、第１の端子電極１０には接続されず、第１の接続導体１４にのみ接続される。したがって、第３の内部電極１４１は第１の内部電極１２１を介して第１の端子電極１０に間接的に接続されることとなる。したがって第４実施形態に係る積層コンデンサでは、端子電極に直接的に接続されない内部電極を有することとなるため、ＥＳＲをより大きくすることができる。
【０１７７】
主電極１２２，１３２は、絶縁体層１８を間に挟んだ状態で隣り合っている。主電極１２２，１３２は、異なる端子電極に接続されるため、電圧印加時において静電容量成分を形成することになる。よって第４実施形態に係る積層コンデンサでは、静電容量を確保することができる。
【０１７８】
以上、本発明の好適な実施形態について説明してきたが、本発明は必ずしも上述した実施形態に限定されるものではなく、その要旨が逸脱しない範囲で様々な変更が可能である。
【０１７９】
例えば、各内部電極の枚数は上記実施形態に示したものに限られず、内部電極の並びも、静電容量が形成されるのであれば上記実施形態に示したものに限られない。例えば第１実施形態では、第３及び第４の内部電極４１，４５の対を２組有しているが、１組でも３組以上であってもよい。また第１の実施形態では、第１及び第２の内部電極２１，３１の対を１組有しているが、２組以上であってもよい。第１及び第２の内部電極２１，３１の対が２組である場合には、第１の内部電極２１、第２の内部電極３１、第３の内部電極４１、第４の内部電極４５、第３の内部電極４１、第４の内部電極４５、第２の内部電極３１、第１の内部電極２１の順で積層されていることが好ましい。
【０１８０】
また、上記実施形態では、第１の主電極と第２の主電極、第１の主電極と第４の主電極、第２の主電極と第３の主電極は、全体にわたってそれぞれ重なり合うとしたが、一部のみが重なり合うとしてもよい。
【０１８１】
また、積層コンデンサが備える複数の第３の主電極全てが、第１の接続導体にのみ接続されるものでなくてもよい。すなわち、複数の第３の内部電極のうち、１つ以上該第３の内部電極の総数よりも１つ少ない数以下の第３の内部電極については、第１の接続導体だけでなく第１の端子電極に接続されていてもよい。第４の内部電極についても同様であり、複数の第４の内部電極のうち、１つ以上該第４の内部電極の総数よりも１つ少ない数以下の第４の内部電極については、第２の接続導体だけでなく第２の端子電極に接続されていてもよい。
【図面の簡単な説明】
【０１８２】
【図１】第１実施形態に係る積層コンデンサの斜視図である。
【図２】第１実施形態に係る積層コンデンサが備える素体の分解斜視図である。
【図３】第１実施形態に係る積層コンデンサが備える各内部電極の構成を示す図である。
【図４】第１実施形態に係る積層コンデンサが備える各内部電極の構成を示す図である。
【図５】第１実施形態の変形例に係る積層コンデンサが備える各内部電極の構成を示す図である。
【図６】第１実施形態の変形例に係る積層コンデンサが備える各内部電極の構成を示す図である。
【図７】第１実施形態の変形例に係る積層コンデンサが備える各内部電極の構成を示す図である。
【図８】第１実施形態の変形例に係る積層コンデンサが備える各内部電極の構成を示す図である。
【図９】第１実施形態の変形例に係る積層コンデンサが備える各内部電極の構成を示す図である。
【図１０】第１実施形態の変形例に係る積層コンデンサが備える各内部電極の構成を示す図である。
【図１１】第１実施形態の変形例に係る積層コンデンサが備える各内部電極の構成を示す図である。
【図１２】第２実施形態に係る積層コンデンサが備える素体の分解斜視図である。
【図１３】第２実施形態に係る積層コンデンサが備える各内部電極の構成を示す図である。
【図１４】第３実施形態に係る積層コンデンサが備える各内部電極の構成を示す図である。
【図１５】第３実施形態の変形例に係る積層コンデンサが備える各内部電極の構成を示す図である。
【図１６】第４実施形態に係る積層コンデンサが備える各内部電極の構成を示す図である。
【符号の説明】
【０１８３】
Ｃ１…積層コンデンサ、Ｅ１…素体、１〜６…側面、２５〜２８，３５〜３８，４３，４７，５３〜６２，７５〜７９，８５〜８７，９３，９４，１０５-１０８，１１５〜１１８，１２５，１２７，１２８，１３５，１３６，１４３…引出導体、１０，１２…端子電極、１４，１６…接続導体、１８…絶縁体層、２１，３１，４１，４５，７１，８１，９１，１０１，１１１，１２１，１３１，１４１…内部電極、２２，３２，４２，４６，７２，８２，９２，１０２，１１２，１２２，１３２，１４２…主電極、２３，２４，３３，３４，５１，５２，７３，７４，８３，８４，１０３，１０４，１１３，１１４，１２３，１２４，１３３，１３４…連結導体。
【図１】
0004428446.tif 000002
【図２】
0004428446.tif 000003
【図３】
0004428446.tif 000004
【図４】
0004428446.tif 000005
【図５】
0004428446.tif 000006
【図６】
0004428446.tif 000007
【図７】
0004428446.tif 000008
【図８】
0004428446.tif 000009
【図９】
0004428446.tif 000010
【図１０】
0004428446.tif 000011
【図１１】
0004428446.tif 000012
【図１２】
0004428446.tif 000013
【図１３】
0004428446.tif 000014
【図１４】
0004428446.tif 000015
【図１５】
0004428446.tif 000016
【図１６】
0004428446.tif 000017